(57)【要約】【課題】  開封時における内外の両フィルムの引き抜き作業を簡易なものとし、スムーズ且つ衛生的にシート状食品を棒状食品に巻き付けることができる棒状食品用包装材を提供する。【解決手段】外フィルムと内フィルムとから形成されるシート状食品を収容する袋状の収容部と、前記収容部における巻き始め側の前記内フィルムに設置され、前記収容部の第１側縁と第２側縁から夫々外側方向に突出し、包装される棒状食品の両端部を被覆する端部被覆部材とを備える棒状食品用包装材であって、前記外フィルムにおける長手方向の略中央部に開封操作片を設け、前記内フィルムは、第１内フィルムと第２内フィルムから構成され、前記第１内フィルムと前記第２内フィルムの内端縁相互を重合させて重合領域を形成し、前記開封操作片を前記重合領域内に配置させることを特徴とする棒状食品用包装材。【選択図】  図１
2016216072.tif 000002
【特許請求の範囲】
【請求項１】
外フィルムと内フィルムとから形成されるシート状食品を収容する袋状の収容部と、前記収容部における巻き始め側の前記内フィルムに設置され、前記収容部の第１側縁と第２側縁から夫々外側方向に突出し、包装される棒状食品の両端部を被覆する端部被覆部材とを備える棒状食品用包装材であって、
前記外フィルムにおける長手方向の略中央部に開封操作片を設け、
前記内フィルムは、第１内フィルムと第２内フィルムから構成され、前記第１内フィルムと前記第２内フィルムの内端縁相互を重合させて重合領域を形成し、前記開封操作片を前記重合領域内に配置することを特徴とする棒状食品用包装材。
【請求項２】
前記開封操作片は、１本のカットテープからなる請求項１に記載の棒状食品用包装材。
【請求項３】
前記収容部の第１側縁と第２側縁において、前記第１内フィルムと前記外フィルムとの溶着部のうち、前記長手方向の最端部側に位置して直交する第１溶着ラインと、前記第２内フィルムと前記外フィルムとの溶着部のうち、前記長手方向の最端部側に位置して直交する第２溶着ラインとの間隔を１０ｍｍ〜３５ｍｍに設定する請求項１又は請求項２に記載の棒状食品用包装材。
【発明の詳細な説明】
【技術分野】
【０００１】
本発明は、棒状食品とシート状食品とが分離された状態で包装され、食するときに簡単な操作で棒状食品にシート状食品を巻くことができる棒状食品用包装材に関するものである。
【背景技術】
【０００２】
従来より、棒状食品とシート状食品とが分離された状態で包装され、食するときに簡単な操作で棒状食品にシート状食品を巻くことができる棒状食品用包装材が公知である。例えば、少なくとも外フィルムと、一端部を重ね合せた一対の内フィルムとで内外二重に形成し、シート状食品を収容する包装材本体と、包装材本体に一体的に設けられ、棒状食品の両端部を覆う端部被覆部材とを有し、内フィルムの重ね合せ部を端部被覆部材の略中央部位置に設けるとともに、外フィルムにおける長手方向の略中央部に長手方向と直角方向にカットテープを設け、当該カットテープと内フィルムの重ね合せ部とを間を除く内フィルムと外フィルムの周縁部を熱融着等で一体的に密封した棒状食品用包装材が公知である（特許文献１参照）。
【０００３】
これによって、カットテープで外フィルムを分断して包装材本体を開いた状態で、分断された一方の外フィルムと内フィルムを引き抜くと、シート状食品が露出し、さらに他方の外フィルムと内フィルムを引き抜くと、シート状食品の全部が露出することで、棒状食品にシート状食品を巻き付けることができるものである。
【先行技術文献】
【特許文献】
【０００４】
【特許文献１】実開平７−１７０９１号
【発明の概要】
【発明が解決しようとする課題】
【０００５】
しかしながら、上記構造においては、包装材本体を開いた状態にて、棒状食品の両端部が端部被覆部材で覆われるとともに、端部被覆部材における中央の内フィルムの重ね合せ部に棒状食品が載置されているため、外フィルムと内フィルムとを慎重に引き抜かなければ、棒状食品が両フィルムとともに移動してしまい、シート状食品の所定位置に載置できない虞があった。また、所定位置に載置できない場合には、棒状食品を指で摘む等して移動させる必要があり、衛生面が懸念されるものであった。
【０００６】
さらに、当該棒状食品用包装材の特性から、棒状食品を掌で抱持した状態での開封作業が多く行われることから、慎重な作業よりも簡易でスムーズな開封作業が望まれるものである。
【０００７】
そこで、本発明はこのような問題点を解決するものであって、開封時における内外の両フィルムの引き抜き作業を簡易なものとし、スムーズ且つ衛生的にシート状食品を棒状食品に巻き付けることができる棒状食品用包装材を提供することを課題とする。
【課題を解決するための手段】
【０００８】
前記問題点を解決するために、本発明の請求項１に記載の棒状食品用包装材は、外フィルムと内フィルムとから形成されるシート状食品を収容する袋状の収容部と、前記収容部における巻き始め側の前記内フィルムに設置され、前記収容部の第１側縁と第２側縁から夫々外側方向に突出し、包装される棒状食品の両端部を被覆する端部被覆部材とを備える棒状食品用包装材であって、前記外フィルムにおける長手方向の略中央部に開封操作片を設け、前記内フィルムは、第１内フィルムと第２内フィルムから構成され、前記第１内フィルムと前記第２内フィルムの内端縁相互を重合させて重合領域を形成し、前記開封操作片を前記重合領域内に配置することを特徴とするものである。
【０００９】
また、本発明の請求項２に記載の棒状食品用包装材は、請求項１に記載の棒状食品用包装材において、前記開封操作片は、１本のカットテープからなるものである。
【００１０】
また、本発明の請求項３に記載の棒状食品用包装材は、請求項１又は請求項２に記載の棒状食品用包装材において、前記収容部の第１側縁と第２側縁において、前記第１内フィルムと前記外フィルムとの溶着部のうち、前記長手方向の最端部側に位置して直交する第１溶着ラインと、前記第２内フィルムと前記外フィルムとの溶着部のうち、前記長手方向の最端部側に位置して直交する第２溶着ラインとの間隔を１０ｍｍ〜３５ｍｍに設定するものである。
【発明の効果】
【００１１】
本発明の棒状食品用包装材では、開封時における内外の両フィルムの引き抜き作業を簡易なものとし、スムーズ且つ衛生的にシート状食品を棒状食品に巻き付けることができる。
【図面の簡単な説明】
【００１２】
【図１】本発明の実施例における棒状食品用包装材にシート状食品が収容された状態の正面図である。
【図２】本発明の実施例における棒状食品用包装材にシート状食品が収容された状態の背面図である。
【図３】本発明の実施例における図１のＡ−Ａ線断面図である。
【図４】本発明の実施例における棒状食品用包装材を用いて棒状食品を包装する工程図である。
【図５】本発明の実施例における棒状食品用包装材の巻き終わり側を分離する説明図である。
【図６】本発明の実施例における棒状食品用包装材の巻き終わり側を分離し、シート状食品が露出した状態の説明図である。
【図７】本発明の実施例における棒状食品用包装材から露出したシート状食品に棒状食品を載置した状態の説明図である。
【図８】本発明の実施例における棒状食品用包装材から露出したシート状食品を抜き出し棒状食品に巻き付ける状態を示す説明図である。
【発明を実施するための形態】
【００１３】
以下、本発明の実施の形態における棒状食品用包装材Ｐを図面に基づいて説明する。図１は、シート状食品ＳＦが収容された状態の正面図（棒状食品用包装材Ｐの内フィルム２０側）である。図２は、シート状食品ＳＦが収容された状態の背面図（棒状食品用包装材Ｐの外フィルム１０側）である。
【００１４】
当該棒状食品用包装材Ｐにおいて、包装に際して載置された状態での棒状食品ＢＦの長手方向を上下方向（又は短手方向）とし、棒状食品ＢＦの幅方向を左右方向（又は長手方向）とする。また、棒状食品ＢＦを包装する際の巻き始める側を巻き始め側Ｐ１とし、巻き終わる側を巻き終わり側Ｐ２とする。
【００１５】
当該棒状食品ＢＦは、主に円柱状に形成された食品であるが、棒状食品用包装材Ｐに包装可能な棒状であれば、特に制限されるものではない。棒状食品ＢＦの形状は、例えば、断面略正方形の略直方体形状等とすることができる。また、棒状食品ＢＦは、内部に具材を入れた米飯又は寿司飯、混ぜご飯、練り物、餅等とされる。以下の実施例において、棒状食品ＢＦは、内部に具材を入れた円柱状の米飯とされる。
【００１６】
また、シート状食品ＳＦは、シート状に形成された食品であれば、特に制限されるものではない。当該シート状食品ＳＦは、例えば、焼き海苔、ゼラチンでフィルム状に形成された昆布又は鰹節、薄焼き卵等とされる。以下の実施例においては、シート状食品ＳＦは、焼き海苔とされる。
【実施例】
【００１７】
本発明に係る棒状食品用包装材Ｐは、図１から図３に示すように、外フィルム１０と内フィルム２０とから形成されるシート状食品ＳＦを収容する袋状の収容部３０と、収容部３０における巻き始め側Ｐ１の内フィルム２０に設置され、収容部３０の第１側縁３２と第２側縁３３から夫々外側方向に突出し、包装される棒状食品ＢＦの両端部を被覆する端部被覆部材５０とを備えてなり、外フィルム１０における長手方向の略中央部に開封操作片４０を設け、内フィルム２０は、第１内フィルム２１と第２内フィルム２２から構成され、第１内フィルム２１と第２内フィルム２２の内端縁相互２３、２４を重合させて重合領域２５を形成し、開封操作片４０を重合領域２５内に配置させてなるものである。
【００１８】
当該棒状食品用包装材Ｐは、外フィルム１０と内フィルム２０とから袋状の収容部３０を形成してなる。当該収容部３０には、シート状食品ＳＦが収容される。収容部３０は、外フィルム１０の周縁部と、内フィルム２０における外フィルム１０の周縁部と対向する箇所とを溶着することによって形成される。
【００１９】
また、外フィルム１０と内フィルム２０の溶着箇所となる溶着部３１は、収容部３０の内部にシート状食品ＳＦを適切に収容することができる空間が形成されてあれば、特に制限されるものではない。当該溶着部３１は、例えば、収容部３０における左右両端部において、夫々略コ字状に周縁部を溶着するものであってもよいし、所定間隔を有した状態で溶着するものであってもよい。
【００２０】
より詳細には、内フィルム２０は、第１内フィルム２１と第２内フィルム２２とから構成されており、第１内フィルム２１と第２内フィルム２２の内端縁２３、２４の相互を重合させた状態で外フィルム２０に溶着される。すなわち、第１内フィルム２１及び第２内フィルム２２は、内端縁２３、２４を除いた箇所が外フィルム２０に溶着される。
【００２１】
また、夫々の内端縁２３、２４の相互が重合された領域は重合領域２５とされ、当該重合領域２５は、収容部３０における左右方向の略中央部に位置するよう設定される。本実施例においては、棒状食品用包装材Ｐの巻き始め側Ｐ１に第１内フィルム２１が溶着されるとともに、巻き終わり側Ｐ２に第２内フィルム２２が溶着される。また、第２内フィルム２２の内端縁２４が第１内フィルム２１の内端縁２３の上方に重合するよう配置されるが、第１内フィルム２１が第２内フィルム２２の上方に重合するよう配置するものであってもよいのは勿論である。また、重合領域２５は、１０ｍｍ〜２０ｍｍ程度が好ましいものとされるが、後述のとおり、少なくとも開封操作片４０の幅寸法を有してあればよい趣旨である。
【００２２】
また、外フィルム１０における左右方向の略中央部には、当該左右方向と直交する上下方向に開封操作片４０が設けられる。当該開封操作片４０は、収容部３０の一端縁となる第１側縁３２から他端縁となる第２側縁３３に至るまで設けられており、これにより収容部３０を左右方向に分断することができる。そして、収容部３０が分断されることで、棒状食品用包装材Ｐが巻き始め側Ｐ１と巻き終わり側Ｐ２とに分離され、収容部３０に収容されたシート状食品ＳＦを露出させることができる。
【００２３】
また、開封操作片４０は、第１内フィルム２１と第２内フィルム２２の重合領域２５内に配置するよう設けられる。これにより、開封操作片４０が外部からの衝撃等の外力によって部分的に破れたり、破断したり等することがあっても、内端縁２３、２４によって内部に収容される棒状食品ＢＦを部分的に二重に覆設することができ、埃や異物が入り込むことがなく衛生的である。
【００２４】
本実施例において、開封操作片４０は、１本のカットテープからなり、外フィルム１０の内側面にヒートシールすることにより固着されるが、外側面から固着することができるのは勿論である。また、カットテープにおける左右方向には、第１側縁３２、第２側縁３３の少なくともいずれか一方に切断線４１が設けられる。
【００２５】
また、収容部３０の第１側縁３２と第２側縁３３において、第１内フィルム２１と外フィルム１０との溶着縁部相互を結ぶ線を第１溶着ラインＬ１とし、第２内フィルム２２と外フィルム１０との溶着縁部相互を結ぶ線を第２溶着ラインＬ２としたとき、第１溶着ラインＬ１と第２溶着ラインＬ２の間隔Ｄは、１０ｍｍ〜３５ｍｍに設定される。
【００２６】
このとき、当該間隔Ｄを１０ｍｍ未満とすると、開封操作片４０における幅寸法が小さくなり、開封操作を行い難くなるため、好ましくない。一方、間隔Ｄを３５ｍｍより大きくすると、内端縁２３、２４の捲れ代が多くなることから、棒状食品ＢＦを包装する際に当該箇所が捲れ上がって、円滑な包装の妨げとなる虞もあり、好ましくない。また、間隔Ｄは、重合領域２５を確保し、且つ、内端縁２３、２４の捲れ代を少なくするために、１０ｍｍ〜２５ｍｍ程度とすることがより望ましい。
【００２７】
また、図１及び図２に示すように、内フィルム２０には、包装される棒状食品ＢＦの両端部を被覆するための端部被覆部材５０が設けられる。当該端部被覆部材５０は、収容部３０の第１側縁３２と第２側縁３３から夫々外側方向に向けて突出され、包装される棒状食品ＢＦの両端部を被覆可能とする帯状体とされる。具体的には、第１内フィルム２１の巻き始め側Ｐ１と端部被覆部材５０の巻き始め側Ｐ１を合致させた状態で、夫々を溶着等で固着してなる。また、端部被覆部材５０における巻き終わり側Ｐ２の縁部は、第１溶着ラインＬ１と略同等に位置するか、又は第１溶着ラインＬ１よりも巻き始め側Ｐ１に位置することが望ましい。
【００２８】
なお、端部被覆部材５０は、棒状食品ＢＦの少なくとも端部を覆うことができる程度の大きさの２枚の矩形状フィルムとし、夫々を第１内フィルム２１の第１側縁３２、第２側縁３３から突出するよう固着することができるのは勿論である。
【００２９】
このようにして構成される棒状食品用包装材Ｐは、以下のようにして棒状食品ＢＦを包装して、棒状食品包装体ＰＢとすることができる。まず、図４（ａ）に示すように、棒状食品ＢＦを端部被覆部材５０上に載置し、端部被覆部材５０にて棒状食品ＢＦの両端部を夫々被覆するように折り畳む。そして、同図（ｂ）に示すように、棒状食品用包装材Ｐの巻き始め側Ｐ１から棒状食品ＢＦの周面を覆うように、棒状食品用包装材Ｐを巻いていく。
【００３０】
そして、同図（ｃ）に示すように、棒状食品用包装材Ｐの巻き終わり側Ｐ２と当該周面とを止め部材６０にて貼着する。当該止め部材６０は、商品面、価格、バーコード等が表示されており、裏面に接着部を有してなる。このとき、止め部材６０は、開封操作片４０を跨ぐようにして貼着され、開封操作片４０と止め部材６０が重合する箇所は接着部を有さないことが望ましい。
【００３１】
次に、このようにして包装される棒状食品包装体ＰＢを開封する方法について説明する。まず、開封操作片４０にて外フィルム１０を切断するとともに止め部材６０を切断して、図５に示すように、外フィルム１０を左右方向における第１内フィルム２１側と、第２内フィルム２２側に分断する。
【００３２】
そして、当該分断された箇所、棒状食品用包装材Ｐによって被覆されている棒状食品ＢＦを一方の掌で抱持した状態で、他方の手で棒状食品用包装材Ｐの巻き終わり側Ｐ２を開き、そのまま巻き終わり側Ｐ２方向に引っ張る。これにより、図６に示すように、棒状食品用包装材Ｐが左右方向に分断され、シート状食品ＳＦにおける略半分が露出する。このとき、棒状食品ＢＦは、第１内フィルム２１側に位置するとともに、開封操作片４０が棒状食品用包装材Ｐにおける左右方向の略中央部にて分断されていることから、円滑な引き抜き作業を行うことができる。
【００３３】
そして、図７に示すように、棒状食品ＢＦを露出したシート状食品ＳＦ側に転がし、シート状食品ＳＦ上に載置した状態で、図８に示すように、棒状食品用包装材Ｐの巻き始め側Ｐ１を引っ張り、残り半分のシート状食品ＳＦを棒状食品ＢＦに巻き付けることで完成される。このとき、シート状食品ＳＦは、包装時における巻き癖により容易に巻き付けることができる。
【００３４】
以上、説明した本発明に係る棒状食品用包装材Ｐによれば、開封時におけるシート状食品ＳＦが露出する面積を大きくすることができるとともに、棒状食品用包装材Ｐにおける巻き終わり側Ｐ２の引き抜き作業を円滑かつ簡易なものとすることができる。また、棒状食品ＢＦにおいては、シート状食品ＳＦ上に載置しやすく、多少転がり過ぎたとしても、開封者の手に触れることがなく衛生的である。
【００３５】
また、外フィルム１０、内フィルム２０に関する溶着部３１、重合領域２５内における開封操作片４０の設置位置、切断線４１の形状、寸法、材質等を適宜変更して実施することが可能である。
【００３６】
例えば、上記実施例において、第１溶着ラインＬ１、第２溶着ラインＬ２は、収容部３０の第１側縁３２、第２側縁３３の溶着縁部相互を結ぶものであったが、これに限られるものではない。例えば、当該溶着部相互が同一直線上に位置しない場合には、収容部３０における左右方向の最端部側（最も外側）に位置する夫々の溶着部３１を通って、左右方向に直交する第１溶着ラインＬ１、第２溶着ラインＬ２との間隔Ｄを設定するものであってもよい。すなわち、収容部３０において、外側方向に位置する第１溶着ラインＬ１と第２溶着ラインＬ２との間隔Ｄが設定されてあればよい趣旨である。
【００３７】
更に、一部構成を省略することができるし、一部抽出した構成とすることができるのは勿論である。
【符号の説明】
【００３８】
Ｐ      棒状食品用包装材
ＢＦ    棒状食品
ＳＦ    シート状食品
１０    外フィルム
２０    内フィルム
２１    第１内フィルム
２２    第２内フィルム
２３、２４  内端縁
２５    重合領域
３０    収容部
３１    溶着部
３２    第１側縁
３３    第２側縁
４０    開封操作片
５０    端部被覆部材
Ｌ１    第１溶着ライン
Ｌ２    第２溶着ライン
Ｄ      間隔
【図１】
2016216072.tif 000003
【図２】
2016216072.tif 000004
【図３】
2016216072.tif 000005
【図４】
2016216072.tif 000006
【図５】
2016216072.tif 000007
【図６】
2016216072.tif 000008
【図７】
2016216072.tif 000009
【図８】
2016216072.tif 000010